【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
充放電可能な複数の電池セル（２１）が電導部材（２２）を介して電気的に接続された少なくとも１つの電池モジュール（２）に適用される電池温調装置であって、
前記電池モジュールの温度を調整する温調部材（１０）を備え、
前記複数の電池セルそれぞれは、外殻を形成するケース部（２１１）および前記ケース部の外側に突き出るとともに前記ケース部の内側に収容される収容部材（２１４、２１５、２１６）に連なる一対の電極端子（２１２、２１３）を有し、
前記複数の電池セルのうち隣接する電池セルは、一方の電池セルに含まれる前記一対の電極端子の一方が前記電導部材を介して他方の電池セルに含まれる前記一対の電極端子のいずれかに電気的に接続されており、
前記温調部材は、前記電池モジュールの電力を利用することなく前記電池セルの温度を調整可能に構成される温調体（１２）を含んでおり、
前記温調体は、前記一対の電極端子および前記電導部材といった外部電流経路を構成する経路構成部の少なくとも一部を温調対象物とし、前記温調対象物を含む前記電池セルに対して電気的に絶縁された状態で前記温調対象物に対して熱的に接触するように配置され、
前記一対の電極端子の少なくとも一方には、前記ケース部の内側に向かって窪んだ凹部（２１２ｃ、２１３ｃ）が形成されており、
前記温調体は、少なくとも一部が前記凹部に埋設されている電池温調装置。
【請求項２】
前記温調部材は、前記温調体とは別に、前記電池モジュールの電力を利用することなく前記電池セルの温度を調整可能に構成される補助温調体（１６）を含んでおり、
前記補助温調体は、前記温調対象物を含む前記電池セルに対して電気的に絶縁された状態で前記電池セルのうち前記温調体が配置された部位とは異なる部位に熱的に接触するように配置されている請求項１に記載の電池温調装置。
【請求項３】
充放電可能な複数の電池セル（２１）が電導部材（２２）を介して電気的に接続された少なくとも１つの電池モジュール（２）に適用される電池温調装置であって、
前記電池モジュールの温度を調整する温調部材（１０）を備え、
前記電池モジュールは、電力供給対象となる複数の対象機器（ＭＧ、１２）に対して必要な電力を供給可能なように電力変換装置（３、１００）に対して接続されており、
前記複数の電池セルそれぞれは、外殻を形成するケース部（２１１）および前記ケース部の外側に突き出るとともに前記ケース部の内側に収容される収容部材（２１４、２１５、２１６）に連なる一対の電極端子（２１２、２１３）を有し、
前記複数の電池セルのうち隣接する電池セルは、一方の電池セルに含まれる前記一対の電極端子の一方が前記電導部材を介して他方の電池セルに含まれる前記一対の電極端子のいずれかに電気的に接続されており、
前記温調部材は、前記電池セルの温度を調整可能に構成される温調体（１２）を含んでおり、
前記温調体は、
前記対象機器に含まれるとともに、他の前記対象機器に供給される電力から独立して前記電池モジュールの電力が供給されるように前記電力変換装置に接続され、
さらに、前記一対の電極端子および前記電導部材といった外部電流経路を構成する経路構成部の少なくとも一部を温調対象物とし、前記温調対象物を含む前記電池セルに対して電気的に絶縁された状態で前記温調対象物に対して熱的に接触するように配置され、
前記一対の電極端子の少なくとも一方には、前記ケース部の内側に向かって窪んだ凹部（２１２ｃ、２１３ｃ）が形成されており、
前記温調体は、少なくとも一部が前記凹部に埋設されている電池温調装置。
【請求項４】
前記温調部材は、前記温調体とは別に前記電池セルの温度を調整可能に構成される補助温調体（１６）を含んでおり、
前記補助温調体は、
前記対象機器に含まれるとともに、前記温調体を除く他の前記対象機器に供給される電力から独立して前記電池モジュールの電力が供給されるように前記電力変換装置に接続され、
さらに、前記温調対象物を含む前記電池セルに対して電気的に絶縁された状態で前記電池セルのうち前記温調体が配置された部位とは異なる部位に熱的に接触するように配置されている請求項３に記載の電池温調装置。
【請求項５】
前記温調体は、通電により発熱する発熱抵抗体（１４１）および電気的な絶縁性を有する絶縁体（１４２）を備えるヒータ（１４）で構成されており、
前記ヒータは、前記電池セルと前記発熱抵抗体とが電気的に絶縁されるように、前記発熱抵抗体と前記温調対象物との間に前記絶縁体が配置されている請求項１ないし４のいずれか１つに記載の電池温調装置。
【請求項６】
前記温調体は、電気的な絶縁性を有する絶縁ヒータ（１８）で構成されており、
前記絶縁ヒータは、前記温調対象物に当接するように配置されている請求項１ないし４のいずれか１つ記載の電池温調装置。
【請求項７】
前記絶縁ヒータは、通電により発熱する発熱抵抗体（１８１ａ）がシリコンゴム（１８１ｂ）で覆われるシリコンラバーヒータ（１８１）で構成されている請求項６に記載の電池温調装置。
【請求項８】
前記絶縁ヒータは、通電により発熱する発熱抵抗体（１８２ａ）がセラミックス（１８２ｂ）で覆われるセラミックヒータ（１８２）で構成されている請求項６に記載の電池温調装置。
【手続補正２】
【補正対象書類名】明細書
【補正対象項目名】０００７
【補正方法】変更
【補正の内容】
【０００７】
請求項１に記載の発明は、電池温調装置であって、電池モジュールの温度を調整する温調部材（１０）を備える。複数の電池セルそれぞれは、外殻を形成するケース部（２１１）およびケース部の外側に突き出るとともにケース部の内側に収容される収容部材（２１４、２１５、２１６）に連なる一対の電極端子（２１２、２１３）を有している。複数の電池セルのうち隣接する電池セルは、一方の電池セルに含まれる一対の電極端子の一方が電導部材を介して他方の電池セルに含まれる一対の電極端子のいずれかに電気的に接続されている。温調部材は、電池モジュールの電力を利用することなく電池セルの温度を調整可能に構成される温調体（１２）を含んでいる。そして、温調体は、一対の電極端子および電導部材といった外部電流経路を構成する経路構成部の少なくとも一部を温調対象物とし、温調対象物を含む電池セルに対して電気的に絶縁された状態で温調対象物に対して熱的に接触するように配置されている。一対の電極端子の少なくとも一方には、ケース部の内側に向かって窪んだ凹部（２１２ｃ、２１３ｃ）が形成されており、温調体は、少なくとも一部が凹部に埋設されている。
【手続補正３】
【補正対象書類名】明細書
【補正対象項目名】００１０
【補正方法】変更
【補正の内容】
【００１０】
また、請求項３に記載の発明は、電池モジュールの温度を調整する温調部材（１０）を備える。電池モジュールは、電力供給対象となる対象機器（ＭＧ）に対して必要な電力を供給可能なように電力変換装置（３、１００）に対して接続されている。複数の電池セルそれぞれは、外殻を形成するケース部（２１１）およびケース部の外側に突き出るとともにケース部の内側に収容される収容部材（２１４、２１５、２１６）に連なる一対の電極端子（２１２、２１３）を有している。複数の電池セルのうち隣接する電池セルは、一方の電池セルに含まれる一対の電極端子の一方が電導部材を介して他方の電池セルに含まれる一対の電極端子のいずれかに電気的に接続されている。温調部材は、電池セルの温度を調整可能に構成される温調体（１２）を含んでいる。温調体は、対象機器に供給される電力から独立して電池モジュールの電力が供給されるように電力変換装置に接続されている。さらに、温調体は、一対の電極端子および電導部材といった外部電流経路を構成する経路構成部の少なくとも一部を温調対象物とし、温調対象物を含む電池セルに対して電気的に絶縁された状態で温調対象物に対して熱的に接触するように配置されている。一対の電極端子の少なくとも一方には、ケース部の内側に向かって窪んだ凹部（２１２ｃ、２１３ｃ）が形成されており、温調体は、少なくとも一部が凹部に埋設されている。